(57)【要約】実施形態は、ある（例えば、第１の）ゲートウェイ（ＧＷ）から別の（例えば、第２の）ゲートウェイ（ＧＷ）へのインターネットプロトコル（ＩＰ）アドレスの転送が過密なネットワーク環境を含む、任意のネットワーク環境における動的モビリティ管理（ＤＭＭ：Dynamic Mobility Management）の処理を改善できることを企図する。実施形態は、過密なネットワークによって、ユーザ機器（ＵＥ）または無線送信／受信ユニット（ＷＴＲＵ）が最も近くのＧＷに接続されることを可能にする一方、ＩＰアドレスの転送によって、比較的短いデータパス（例えば、恐らく「最短の」データパス）の使用を可能にでき、このことは、ＤＭＭの文脈において有益となり、恐らく既存のフローに対しても有益となることを企図する。ＩＰアドレスを移動するように企図された能力を使用することによって、割り振られたＩＰアドレスの数および／または保持されるトンネルの数を最小にできる。
2016502820.tif 000002
【特許請求の範囲】
【請求項１】
無線通信ネットワークの第１のノードであって、少なくとも
無線送信／受信ユニット（ＷＴＲＵ）からハンドオーバーを受信することと、
前記ＷＴＲＵが前記ハンドオーバーより前に前記無線通信ネットワークの第２のノードと接続通信されていたことを判定することと、
前記第２のノードと前記接続通信するために前記ＷＴＲＵに割り振られたインターネットプロトコル（ＩＰ）アドレスを判定することと、
前記ＩＰアドレスの転送を前記第２のノードにリクエストすることと、
前記ＩＰアドレスを前記第２のノードから受信することと、
前記ＩＰアドレスを使用して前記ＷＴＲＵとの接続通信を確立することを行うように構成されたプロセッサを備える、第１のノード。
【請求項２】
前記プロセッサは、分散モビリティ管理（ＤＭＭ）向けにさらに構成される、請求項１に記載の第１のノード。
【請求項３】
前記プロセッサは、前記ＩＰアドレスを前記第１のノードに広告するようにさらに構成される、請求項１に記載の第１のノード。
【請求項４】
前記プロセッサは、前記ＩＰアドレスの前記転送の前記リクエストがプロキシバインディングアップデートメッセージを前記第２のノードに送信することを含むようにさらに構成される、請求項１に記載の第１のノード。
【請求項５】
前記プロセッサは、前記ＩＰアドレスの前記受信がプロキシバインディング肯定応答メッセージを前記第２のノードから受信することを含むようにさらに構成される、請求項１に記載の第１のノード。
【請求項６】
前記プロセッサは、前記ＩＰアドレスの前記受信が前記第２のノードとのトンネルを確立する情報を受信することを含むようにさらに構成される、請求項１に記載の第１のノード。
【請求項７】
前記プロセッサは、前記第２のノードとのトンネルを確立するようにさらに構成される、請求項１に記載の第１のノード。
【請求項８】
前記プロセッサは、前記トンネル経由で前記ＩＰアドレスに向けられたデータを受信するようにさらに構成される、請求項７に記載の第１のノード。
【請求項９】
前記トンネルは、所定の時間期間、または前記ＩＰアドレスに向けられたデータの前記第１のノードにおける第１の受信の後の所定の時間期間のうちの少なくとも１つを含む、時間期間の後に終了される、請求項７に記載の第１のノード。
【請求項１０】
前記プロセッサは、前記ＩＰアドレスに向けられたデータを前記ＷＴＲＵにフォワードするようにさらに構成される、請求項１に記載の第１のノード。
【請求項１１】
無線通信ネットワークと通信する無線送信／受信ユニット（ＷＴＲＵ）であって、少なくとも
前記無線通信ネットワークの第１のノードに接続することと、
前記第１のノードから第１のインターネットプロトコル（ＩＰ）アドレスを取得することと、
前記第１のノードに接続される時に前記第１のＩＰアドレス経由で通信することと、
前記無線通信ネットワークの第２のノードへのハンドオーバーを開始することと、
前記第２のノードに接続することと、
前記第２のノードから第２のＩＰアドレスを取得することと、
条件が発生すると前記第２のノードに接続される時に前記第１のＩＰアドレス経由で通信することであって、前記条件は、前記第１のノードの１または複数の特性および前記第２のノードの１または複数の特性を含む、通信することを行うように構成されたプロセッサを備える、ＷＴＲＵ。
【請求項１２】
前記条件は、前記第１のノードと前記第２のノードとの間の地理的関係の判定、または前記第１のノードと前記第２のノードとの間の論理的関係の判定のうちの少なくとも１つを含む、請求項１１に記載のＷＴＲＵ。
【請求項１３】
前記地理的関係の前記判定は、前記第１のノードと前記第２のノードとの間の距離が所定の閾値内であるという判定を含む、請求項１２に記載のＷＴＲＵ。
【請求項１４】
前記論理的関係の前記判定は、前記第１のノードと前記第２のノードが同じ論理グループの一部であると判定することを含む、請求項１２に記載のＷＴＲＵ。
【請求項１５】
前記条件は、動的関係の判定、または所定の関係のうちの少なくとも１つを含む、請求項１１に記載のＷＴＲＵ。
【請求項１６】
前記プロセッサは、前記条件が発生すると前記第２のＩＰアドレスを非推奨にすること、または前記条件が発生すると前記ＷＴＲＵに構成された１または複数のアプリケーションから前記第２のＩＰアドレスを論理的に隠蔽することのうちの少なくとも１つがさらに構成される、請求項１１に記載のＷＴＲＵ。
【請求項１７】
前記条件は、第１の条件であり、および前記プロセッサは、
前記無線通信ネットワークの第３のノードに接続することと、
前記第３のノードから第３のＩＰアドレスを取得することと、
第２の条件が発生すると前記第３のノードに接続される時に前記第３のＩＰアドレス経由で通信することであって、前記第２の条件は、前記第１のノードの前記１または複数の特性および前記第３のノードの１または複数の特性を含む、通信することを行うようにさらに構成された、請求項１１に記載のＷＴＲＵ。
【請求項１８】
前記第２の条件は、前記第１のノードと前記第３のノードとの間の地理的関係の判定、または前記第１のノードと前記第３のノードとの間の論理的関係の判定のうちの少なくとも１つを含む、請求項１７に記載のＷＴＲＵ。
【請求項１９】
前記地理的条件の前記判定は、前記第１のノードと前記第３のノードとの間の距離が所定の閾値を超えるといる判定を含む請求項１８に記載のＷＴＲＵ。
【請求項２０】
前記論理的関係の前記判定は、前記第１のノードと前記第３のノードが同じ論理グループの一部でないと判定することを含む、請求項１８に記載のＷＴＲＵ。
【請求項２１】
無線通信ネットワークの第１のノードにおいて無線送信／受信ユニット（ＷＴＲＵ）からハンドオーバーを受信するステップと、
前記第１のノードによって、前記ＷＴＲＵが前記ハンドオーバーより前に前記無線通信ネットワークの第２のノードと接続通信されていたことを判定するステップと、
前記第１のノードによって、前記第２のノードと前記接続通信するために前記ＷＴＲＵに割り振られたインターネットプロトコル（ＩＰ）アドレスを判定するステップと、
前記第１のノードによって、前記ＩＰアドレスの転送を前記第２のノードにリクエストするステップと、
前記第１のノードにおいて、前記ＩＰアドレスを前記第２のノードから受信するステップと、
前記第１のノードによって、前記ＩＰアドレスを使用して前記ＷＴＲＵとの接続通信を確立するステップを備える、方法。
【請求項２２】
前記第２のノードに前記第１のノードのグループ識別子を提供するステップと、
前記第２のノードによって、前記第１のノードの前記グループ識別子と前記第２のノードの前記グループ識別子を比較するステップと、
前記第１のノードの前記グループ識別子が前記第２のノードのグループ識別子と同じであれば、前記第２のノードによって、前記ＩＰアドレスの前記第１のノードの転送リクエストを受け入れるステップをさらに備える、請求項２１に記載の方法。
【請求項２３】
前記第２のノードは、割り振られたＩＰアドレスの数を所有し、前記方法は、
前記ＩＰアドレスの前記転送が前記第１のノードに行われると、前記第２のノードによって、前記第２のノードによって所有された割り振られたＩＰアドレスの前記数を増加するステップと、
前記第１のノードによって、前記第２のノードによって所有された現在の割り振られたＩＰアドレスを所定の閾値と比較するステップと、
前記第２のノードによって所有された前記現在の割り振られたＩＰアドレスが前記所定の閾値よりも少ないと、前記第１のノードによって、１または複数の付加的な割り振られたＩＰアドレスを前記第２のノードに提供するステップをさらに備える、請求項２１に記載の方法。
【請求項２４】
前記ＩＰアドレスの前記転送を前記第１のノードに行うと、前記第２のノードによって、前記ＩＰアドレスの広告を停止するステップをさらに備える、請求項２１に記載の方法。
【請求項２５】
前記ＩＰアドレスは、第１のＩＰアドレスであり、前記方法は、
前記第１のＩＰアドレスの前記転送を前記第１のノードに行うと、前記第２のノードによって、前記第２のＩＰアドレスが前記第１のＩＰアドレスとは異なると広告するステップをさらに備える、請求項２１に記載の方法。
【発明の詳細な説明】
【技術分野】
【０００１】
（関連出願の相互参照）
本願は、２０１２年１１月３０日に出願された”Distributed Mobility Management Technology In A Network Environment”と題する米国特許仮出願第６１／７３２，１６１号明細書の利益を主張し、その全ての内容は、参照により、実際上、本明細書で完全に記載されているかのように組み込まれる。
【背景技術】
【０００２】
実施形態は、分散モビリティ管理（ＤＭＭ：Distributed Mobility Management）がインターネットプロトコル（ＩＰ）モビリティ、ネットワークアクセス、およびルーティングをサポートできることによって、それぞれのＩＰモビリティセッションを管理するために中央に配置されたアンカーに依存しなくてもよい方法でトラフィックが分散され得るようにＩＰネットワークの構築を可能にし得ることを認識している。分散モビリティ管理技術は、デバイスおよび／またはネットワークがそれらのインターネットのアタッチポイントを変更するときにモバイルホストの保持をサポートできる。
【発明の概要】
【０００３】
本発明の概要は、以下の発明の詳細な説明でさらに説明される簡易な形式において概念の１つの選択を導入するために与えられる。本発明の概要は、特許請求の範囲の対象事項での重要な特徴または不可欠な特徴を特定することを意図せず、または特許請求の範囲の対象事項の範囲を限定するように用いられることを意図しない。
【０００４】
実施形態は、ある（例えば、第１の）ゲートウェイ（ＧＷ）から別の（例えば、第２の）ゲートウェイ（ＧＷ）へのインターネットプロトコル（ＩＰ）アドレスの転送が、過密なネットワーク環境を含む、任意のネットワーク環境における動的モビリティ管理（ＤＭＭ：Dynamic Mobility Management）の処理を改善できることを企図する。例えば、過密なネットワークは、ユーザ機器（ＵＥ）または無線送信／受信ユニット（ＷＴＲＵ）が最も近くのＧＷに接続されることを可能にする一方、ＩＰアドレスの転送は、比較的短いデータパス（例えば、恐らく「最短の」データパス）の使用を可能にでき、このことは、ＤＭＭの文脈において有益となり、恐らく既存のフローに対しても有益となる。さらに、ＩＰアドレスを移動するように企図された能力を使用することによって、割り振られたＩＰアドレスの数および／または保持されるトンネルの数を最小にできる。
【０００５】
実施形態は、無線通信ネットワークの第１のノードを企図する。第１のノードは、プロセッサを備えることができる。プロセッサは、無線送信／受信ユニット（ＷＴＲＵ）からのハンドオーバーを受信するように構成され得る。プロセッサはまた、ＷＴＲＵがハンドオーバーより前に無線通信ネットワークの第２のノードと接続通信されていたことを判定するようにも構成され得る。プロセッサは、第２のノードと接続通信するためにＷＴＲＵに割り振られたインターネットプロトコル（ＩＰ）アドレスを判定するように構成され得る。プロセッサは、ＩＰアドレスの転送を第２のノードにリクエストするように構成され得る。プロセッサは、ＩＰアドレスを第２のノードから受信するように構成され得る。プロセッサは、ＩＰアドレスを使用してＷＴＲＵとの接続通信を確立するように構成され得る。
【０００６】
実施形態は、無線通信ネットワークと通信できる無線送信／受信ユニット（ＷＴＲＵ）を企図する。ＷＴＲＵは、プロセッサを備えることができる。プロセッサは、無線通信ネットワークの第１のノードに接続するように構成され得る。プロセッサは、第１のインターネットプロトコル（ＩＰ）アドレスを第１のノードから取得するように構成され得る。プロセッサは、ＷＴＲＵが第１のノードに接続されるときに第１のＩＰアドレス経由で通信するように構成され得る。プロセッサは、無線通信ネットワークの第２のノードへのハンドオーバーを開始するように構成され得る。プロセッサは、第２のノードに接続するように構成され得る。プロセッサは、第２のＩＰアドレスを第２のノードから取得するように構成され得る。プロセッサは、恐らく条件が発生すると、ＷＴＲＵが第２のノードに接続されるときに第１のＩＰアドレス経由で通信するように構成され得る。条件は、第１のノードの１または複数の特性と第２のノードの１または複数の特性を含むことができる。
【０００７】
実施形態は、無線通信ネットワークの第１のノードにおけるハンドオーバーを無線送信／受信ユニット（ＷＴＲＵ）から受信することを備えることができる１または複数の技術を企図する。技術は、ＷＴＲＵがハンドオーバーより前に無線通信ネットワークの第２のノードと接続通信されていたことを第１のノードによって判定することを備えることができる。技術は、第２のノードと接続通信するためにＷＴＲＵに割り振られたインターネットプロトコル（ＩＰ）アドレスを第１のノードによって判定することを備えることができる。技術は、第２のノードのＩＰアドレスの転送を第１のノードによってリクエストすることを備えることができる。技術は、第２のノードのＩＰアドレスを第１のノードにおいて受信することを備えることができる。技術は、ＩＰアドレスを使用してＷＴＲＵとの接続通信を第１のノードによって確立することを備えることができる。
【図面の簡単な説明】
【０００８】
例として添付図面とともに与えられた以下の説明によってより詳細な理解を得ることができる。
【図１Ａ】開示された１または複数の実施形態を実装できる例示的な通信システムのシステム図である。
【図１Ｂ】図１Ａに示した通信システム内で使用され得る例示的な無線送信／受信ユニット（ＷＴＲＵ）のシステム図である。
【図１Ｃ】図１Ａに示した通信システム内で使用され得る例示的な無線アクセスネットワークおよび例示的なコアネットワークのシステム図である。
【図１Ｄ】図１Ａに示した通信システム内で使用され得る別の例示的な無線アクセスネットワークおよび別の例示的なコアネットワークのシステム図である。
【図１Ｅ】図１Ａに示した通信システム内で使用され得る別の例示的な無線アクセスネットワークおよび別の例示的なコアネットワークのシステム図である。
【図２Ａ】図２を形成するために組合される、実施形態と整合性のある例示的なＤＭＭベースのモバイルネットワークシステム設計(DMM-Based Mobile Network System Design)のグローバルビューを示す図である。
【図２Ｂ】図２を形成するために組合される、実施形態と整合性のある例示的なＤＭＭベースのモバイルネットワークシステム設計(DMM-Based Mobile Network System Design)のグローバルビューを示す図である。
【図３Ａ】図３を形成するために組合される、実施形態と整合性のある例示的なＤＭＭベースのモバイルネットワーク(DMM-Based Mobile Network)（ネットワークベースの（ＧＴＰおよびＰＭＩＰｖ６バリアント型）モデルを示す図である。
【図３Ｂ】図３を形成するために組合される、実施形態と整合性のある例示的なＤＭＭベースのモバイルネットワーク(DMM-Based Mobile Network)（ネットワークベースの（ＧＴＰおよびＰＭＩＰｖ６バリアント型）モデルを示す図である。
【図４】実施形態と整合性のある例示的な過密ネットワーク(Dense Network)モデルにおけるＤＭＭ発展型ローカルゲートウェイ（Ｌ−ＧＷ）(local Gateway(L-GW)Evolved to DMM)を示す図である。
【図５】実施形態と整合性のある例示的な過密ネットワーク(Dense Network)モデルにおける分散ゲートウェイ（Ｄ−ＧＷ）(distributed Gateway)を示す図である。
【図６】実施形態と整合性のある、インターネットプロトコル（ＩＰ）アドレスを接続バンドリング環境において取得できる例示的なノード選択を示す図である。
【図７】実施形態と整合性のある例示的なインターネットプロトコル（ＩＰ）アドレス転送技術を示す図である。
【発明を実施するための形態】
【０００９】
これより具体的な実施形態の詳細な説明をさまざまな図を参照して説明する。この説明は、可能な実装の詳細な例を提供するが、その詳細は、例示的なものであり、決して本出願の範囲を限定することを意図しないことに留意されたい。本明細書の使用において、さらなる修飾または特徴付けのない冠詞「ａ」および「ａｎ」は、例えば、「１または複数の」または「少なくとも１つの」を意味することが理解できる。
【００１０】
図１Ａは、開示された１または複数の実施形態を実装できる例示的な通信システム１００の図である。通信システム１００は、音声、データ、ビデオ、メッセージング、ブロードキャストなどのコンテンツを複数の無線ユーザに提供する、多元接続システムであってよい。通信システム１００は、複数の無線ユーザが、無線帯域幅を含むシステムリソースの共有を通じてそのようなコンテンツにアクセスすることを可能にできる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの、１または複数のチャネルアクセス方法を用いることができる。
【００１１】
図１Ａに示すように、通信システム１００は、無線送信／受信ユニット（ＷＴＲＵ）１０２ａ、１０２ｂ、１０２ｃ、および／または１０２ｄ（一般的にまたはまとめてＷＴＲＵ１０２と呼ばれてもよい）、無線アクセスネットワーク（ＲＡＮ）１０３／１０４／１０５、コアネットワーク１０６／１０７／１０９、公衆交換電話網（ＰＳＴＮ）１０８、インターネット１１０、および他のネットワーク１１２を含むことができるが、開示された実施形態は、任意の数のＷＴＲＵ、基地局、ネットワーク、および／またはネットワーク要素を企図することが認識されよう。ＷＴＲＵ１０２ａ、１０２ｂ、１０２ｃ、１０２ｄのそれぞれは、無線環境で操作および／または通信するように構成された任意のタイプのデバイスであってよい。一例として、ＷＴＲＵ１０２ａ、１０２ｂ、１０２ｃ、１０２ｄは、無線信号を送信および／または受信するように構成されてもよく、ユーザ機器（ＵＥ）、移動局、固定式または移動式加入者ユニット、ページャ、セルラー電話、携帯情報端末（ＰＤＡ）、スマートフォン、ラップトップ、ネットブック、パーソナルコンピュータ、無線センサ、家電製品などを含むことができる。
【００１２】
通信システム１００はまた、基地局１１４ａと基地局１１４ｂを含むこともできる。基地局１１４ａ、１１４ｂのそれぞれは、ＷＴＲＵ１０２ａ、１０２ｂ、１０２ｃ、１０２ｄのうちの少なくとも１つとワイヤレスにインタフェースして、コアネットワーク１０６／１０７／１０９、インターネット１１０、および／またはネットワーク１１２などの、１または複数の通信ネットワークへのアクセスを容易にするように構成された任意のタイプのデバイスであってよい。一例として、基地局１１４ａ、１１４ｂは、ベーストランシーバ基地局（ＢＴＳ）、ノードＢ、ｅノードＢ、ホームノードＢ、ホームｅノードＢ、サイトコントローラ、アクセスポイント（ＡＰ）、無線ルータなどであってよい。基地局１１４ａ、１１４ｂはそれぞれ、単一要素として描かれているが、基地局１１４ａ、１１４ｂは、相互接続された任意の数の基地局および／またはネットワーク要素を含むことができることが認識されよう。
【００１３】
基地局１１４ａは、基地局コントローラ（ＢＳＣ）、無線ネットワークコントローラ（ＲＮＣ）、中継ノードなどの、他の基地局および／またはネットワーク要素（図示せず）を含むこともできる、ＲＡＮ１０３／１０４／１０５の一部にすることができる。基地局１１４ａおよび／または基地局１１４ｂは、セル（図示せず）と呼ばれてもよい、特定の地理的領域内で無線信号を送信および／または受信するように構成され得る。セルは、セルセクタにさらに分割され得る。例えば、基地局１１４ａと関連付けられたセルを３つのセクタに分割できる。従って、一実施形態において、基地局１１４ａは、３つのトランシーバ、即ち、セルの各セクタに１トランシーバを含むことができる。別の実施形態において、基地局１１４ａは、ＭＩＭＯ(multiple-input multiple output)テクノロジーを用いることができ、従って、セルの各セクタに複数のトランシーバを利用できる。
【００１４】
基地局１１４ａ、１１４ｂは、適した任意の無線通信リンク（例えば、無線周波数（ＲＦ）、マイクロ波、赤外線（ＩＲ）、紫外線（ＵＶ）、可視光線など）であってよい、エアインタフェース１１５／１１６／１１７を介してＷＴＲＵ１０２ａ、１０２ｂ、１０２ｃ、１０２ｄのうちの１または複数と通信できる。エアインタフェース１１５／１１６／１１７は、適した任意の無線アクセステクノロジー（ＲＡＴ）を使用して確立できる。
【００１５】
より詳細には、上述のように、通信システム１００は、多元接続システムであってよく、ＣＤＭＡ、ＴＤＭＡ、ＦＤＭＡ、ＯＦＤＭＡ、ＳＣ−ＦＤＭＡなどの、１または複数のチャネルアクセススキームを用いることができる。例えば、ＲＡＮ１０３／１０４／１０５内の基地局１１４ａおよびＷＴＲＵ１０２ａ、１０２ｂ、１０２ｃは、ＷＣＤＭＡ（登録商標）（広域帯ＣＤＭ）を使用してエアインタフェース１１５／１１６／１１７を確立できる、ＵＴＲＡ(ユニバーサル移動体通信システム（ＵＭＴＳ）地上波無線アクセス）などの無線テクノロジーを実装できる。ＷＣＤＭＡは、高速パケットアクセス（ＨＳＰＡ）および／または発展型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１６】
別の実施形態において、基地局１１４ａおよびＷＴＲＵ１０２ａ、１０２ｂ、１０２ｃは、ＬＴＥ（ロングタームエボリューション）および／またはＬＴＥ−Ａ（ＬＴＥアドバンスト）を使用してエアインタフェース１１５／１１６／１１７を確立できる、Ｅ−ＵＴＲＡ（発展型ＵＭＴＳ地上波無線アクセス）などの無線テクノロジーを実装できる。
【００１７】
他の実施形態において、基地局１１４ａおよびＷＴＲＵ１０２ａ、１０２ｂ、１０２ｃは、ＩＥＥＥ８０２．１６（即ち、ＷｉＭＡＸ(Worldwide Interoperability for Microwave Access)、ＣＤＭＡ２０００、ＣＤＭＡ２０００１Ｘ、ＣＤＭＡ２０００ＥＶ−ＤＯ、ＩＳ−２０００(Interim Standard 2000)、ＩＳ−９５(Interim Standard 95)、ＩＳ−８５６(Interim Standard 856)、ＧＳＭ（登録商標）(Global System for Mobile communications)、ＥＤＧＥ(Enhanced Data rates for GSM Evolution)、ＧＥＲＡＮ(GSM EDGE)などの無線テクノロジーを実装できる。
【００１８】
図１Ａの基地局１１４ｂは、例えば、無線ルータ、ホームノードＢ、ホームｅノードＢ、またはアクセスポイントであってよく、職場、住居、車、キャンパスなどの、ローカルエリアで無線接続性を容易にするために適した任意のＲＡＴを利用できる。一実施形態において、基地局１１４ｂおよびＷＴＲＵ１０２ｃ、１０２ｄは、無線ローカルエリアネットワーク（ＷＬＡＮ）を確立するＩＥＥＥ８０２．１１などの、無線テクノロジーを実装できる。別の実施形態において、基地局１１４ｂおよびＷＴＲＵ１０２ｃ、１０２ｄは、無線パーソナルエリアネットワーク（ＷＰＡＮ）を確立するＩＥＥＥ８０２．１５などの、無線テクノロジーを実装できる。さらに別の実施形態において、基地局１１４ｂおよびＷＴＲＵ１０２ｃ、１０２ｄは、セルベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立できる。図１Ａに示すように、基地局１１４ｂは、インターネット１１０に直接接続できる。従って、基地局１１４ｂは、コアネットワーク１０６／１０７／１０９経由でインターネット１１０にアクセスしなくてもよい。
【００１９】
ＲＡＮ１０３／１０４／１０５は、音声、データ、アプリケーション、および／またはＶｏＩＰ（ボイスオーバーインターネットプロトコル）サービスをＷＴＲＵ１０２ａ、１０２ｂ、１０２ｃ、１０２ｄのうち１または複数に提供するように構成された任意のタイプのネットワークであってよい、コアネットワーク１０６／１０７／１０９と通信できる。例えば、コアネットワーク１０６／１０７／１０９は、呼制御、課金サービス、モバイルロケーションベースのサービス、プリペイド電話、インターネット接続性、ビデオ分散などを提供でき、および／またはユーザ認証などのハイレベルのセキュリティ機能を遂行できる。図１Ａに示していないが、ＲＡＮ１０３／１０４／１０５および／またはコアネットワーク１０６／１０７／１０９は、ＲＡＮ１０３／１０４／１０５と同じＲＡＴまたは異なるＲＡＴを用いる、他のＲＡＴとの直接または間接通信であってよいことが認識されよう。例えば、Ｅ−ＵＴＲＡ無線テクノロジーを利用できるＲＡＮ１０３／１０４／１０５に接続されることに加えて、コアネットワーク１０６／１０７／１０９はまた、ＧＳＭ無線テクノロジーを用いた別のＲＡＮ（図示せず）と通信することもできる。
【００２０】
コアネットワーク１０６／１０７／１０９はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして機能することもできる。ＰＳＴＮ１０８は、旧来の音声電話サービス（ＰＯＳＴ）を提供する回線交換電話網を含むことができる。インターネット１１０は、ＴＣＰ／ＩＰインターネットプロトコルスイートにおける伝送制御プロトコル（ＴＣＰ）、ユーザデータグラムプロトコル（ＵＤＰ）およびインターネットプロトコル（ＩＰ）などの、共通の通信プロトコルを使用して相互接続されたコンピュータネットワークおよびデバイスのグローバルシステムを含むことができる。ネットワーク１１２は、他のサービスプロバイダによって所有および／または運用される有線または無線通信ネットワークを含むことができる。例えば、ネットワーク１１２は、ＲＡＮ１０３／１０４／１０５と同じＲＡＴまたは異なるＲＡＴを用いることができる、１または複数のＲＡＮに接続された別のコアネットワークを含むことができる。
【００２１】
通信システム１００内のＷＴＲＵ１０２ａ、１０２ｂ、１０２ｃ、１０２ｄの一部またはすべては、マルチモード能力を含むことができる。即ち、ＷＴＲＵ１０２ａ、１０２ｂ、１０２ｃ、１０２ｄは、異なる無線リンクを介して異なる無線ネットワークと通信する複数のトランシーバを含むことができる。例えば、図１Ａに示したＷＴＲＵ１０２ｃは、セルベースの無線テクノロジーを用いることができる基地局１１４ａと、ＩＥＥＥ８０２無線テクノロジーを用いることができる基地局１１４ｂとの通信を行うように構成され得る。
【００２２】
図１Ｂは、例示的なＷＴＲＵ１０２のシステム図である。図１Ｂに示すように、ＷＴＲＵ１０２は、プロセッサ１１８、トランシーバ１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および他の周辺機器１３８を含むことができる。ＷＴＲＵ１０２は、実施形態と整合性を保った上で、上述の要素の任意の組み合わせを含むことができることが認識されよう。また、実施形態は、基地局１１４ａおよび１１４ｂ、および／または基地局１１４ａおよび１１４ｂが、限定されるわけではないが、とりわけトランシーバ基地局（ＢＴＳ）、ノードＢ、サイトコントローラ、アクセスポイント（ＡＰ）、ホームノードＢ、発展型ホームノードＢ（ｅノードＢ）、ホーム発展型ノードＢ（ＨｅＮＢ）、ホーム発展型ノードＢゲートウェイ、およびプロキシノードを表すことができるノードが、図１Ｂおよび本明細書で説明される要素の一部またはすべてを含むことができることを企図する。
【００２３】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連動する１または複数のマイクロプロセッサ、コントローラ、マイクロコントローラ、特定用途向け集積回路（ＡＳＩＣ）、現場プログラム可能ゲートアレイ（ＦＰＧＡ）回路、その他のタイプの集積回路（ＩＣ）、ステートマシンなどであってよい。プロセッサ１１８は、信号コーディング、データ処理、電力制御、入力／出力処理、および／またはＷＴＲＵ１０２が無線環境で動作可能にさせるその他の機能性を遂行できる。プロセッサ１１８をトランシーバ１２０に結合でき、そのトランシーバを送信／受信要素１２２に結合できる。図１Ｂは、プロセッサ１１８とトランシーバ１２０とを個別のコンポーネントとして示しているが、プロセッサ１１８とトランシーバ１２０とを電子パッケージまたはチップ内にまとめることができることが認識されよう。
【００２４】
送信／受信要素１２２は、エアインタフェース１１５／１１６／１１７を介して基地局（例えば、基地局１１４ａ）に信号を送信する、または基地局から信号を受信するように構成され得る。例えば、一実施形態において、送信／受信要素１２２は、ＲＦ信号を送信および／または受信するように構成されたアンテナであってよい。別の実施形態において、送信／受信要素１２２は、例えば、ＩＲ、ＵＶ、または可視光線信号を送信および／または受信するように構成されたエミッタ／検出器であってよい。さらに別の実施形態において、送信／受信要素１２２は、ＲＦ信号と光信号との両方を送受信するように構成され得る。送信／受信要素１２２は、無線信号の任意の組み合わせを送信および／または受信するように構成され得ることが認識されよう。
【００２５】
さらに、送信／受信要素１２２を単一要素として図１Ｂに示しているが、ＷＴＲＵ１０２は、任意の数の送信／受信要素１２２を含むことができる。より詳細には、ＷＴＲＵ１０２は、ＭＩＭＯテクノロジーを用いることができる。従って、一実施形態において、ＷＴＲＵ１０２は、エアインタフェース１１５／１１６／１１７を介して無線信号を送受信する２または３以上の送信／受信要素１２２（例えば、複数のアンテナ）を含むことができる。
【００２６】
トランシーバ１２０は、送信／受信要素１２２によって送信される信号を変調して、送信／受信要素１２２によって受信された信号を復調するように構成され得る。上述のように、ＷＴＲＵ１０２は、マルチモード能力を有することができる、従って、トランシーバ１２０は、ＷＴＲＵ１０２が、例えば、ＵＴＲＡおよびＩＥＥＥ８０２．１１などの、複数のＲＡＴ経由で通信することを可能にする複数のトランシーバを含むことができる。
【００２７】
ＷＴＲＵ１０２のプロセッサ１１８は、スピーカ／マイクロフォン１２４、キーバッド１２６、および／またはディスプレイ／タッチパッド１２８（例えば、液晶ディスプレイ（ＬＣＤ）表示ユニットまたは有機発光ダイオード（ＯＬＥＤ）表示ユニット）に結合されて、それらからユーザ入力データを受信できる。プロセッサ１１８はまた、スピーカ／マイクロフォン１２４、キーバッド１２６、および／またはディスプレイ／タッチパッド１２８にユーザデータを出力することもできる。さらに、プロセッサ１１８は、非リムーバブルメモリ１３０および／またはリムーバブルメモリ１３２などの、適した任意のタイプのメモリからの情報にアクセスして、それらのメモリにデータを記憶できる。非リムーバブルメモリ１３０は、ランダムアクセスメモリ（ＲＡＭ）、リードオンリーメモリ（ＲＯＭ）、ハードディスク、またはその他のタイプのメモリ記憶デバイスを含むことができる。リムーバブルメモリ１３２は、契約者識別モジュール（ＳＩＭ）カード、メモリスティック、セキュアデジタル（ＳＤ）メモリカードなどを含むことができる。他の実施形態において、プロセッサ１１８は、サーバまたはホームコンピュータ（図示せず）などの、物理的にＷＴＲＵ１０２に置かれていないメモリからの情報にアクセスして、それらのメモリにデータを記憶できる。
【００２８】
プロセッサ１１８は、電源１３４から電力を受け取ることができ、その電力をＷＴＲＵ１０２内の他のコンポーネントに分散および／または制御するように構成され得る。電源１３４は、ＷＴＲＵ１０２に電力供給するのに適した任意のデバイスであってよい。例えば、電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００２９】
プロセッサ１１８はまた、ＧＰＳチップセット１３６を、ＷＴＲＵ１０２の現在の位置に関する位置情報（例えば、経緯度）を提供するように構成され得る、ＧＰＳチップセット１３６にも結合され得る。追加または代替として、ＧＰＳチップセット１３６からの情報により、ＷＴＲＵ１０２は、基地局（例えば、基地局１１４ａ、１１４ｂ）からエアインタフェース１１５／１１６／１１７を介して位置情報を受信し、および／または２または３以上の近隣の基地局から受信される信号のタイミングに基づいてＷＴＲＵの位置を判定できる。ＷＴＲＵ１０２は、実施形態と整合性を保った上で、適した任意の位置判定方法によって位置情報を獲得できることが認識されよう。
【００３０】
プロセッサ１１８は、付加的な特徴、機能性および／または有線または無線接続性を提供する、１または複数のソフトウェアモジュールおよび／またはハードウェアモジュールを含むことができる、他の周辺機器１３８にさらに結合され得る。例えば、周辺機器１３８は、加速度計、電子コンパス、衛星トランシーバ、デジタルカメラ（写真またはビデオ用）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００３１】
図１Ｃは、実施形態に従ったＲＡＮ１０３およびコアネットワーク１０６のシステム図である。上述のように、ＲＡＮ１０３は、ＵＴＲＡ無線テクノロジーを用いて、エアインタフェース１１５を介してＷＴＲＵ１０２ａ、１０２ｂ、１０２ｃと通信できる。ＲＡＮ１０３はさらに、コアネットワーク１０６とも通信できる。図１Ｃに示すように、ＲＡＮ１０３は、エアインタフェース１１５を介してＷＴＲＵ１０２ａ、１０２ｂ、１０２ｃと通信するための１または複数のトランシーバを含むことができる、ノードＢ１４０ａ、１４０ｂ、１４０ｃを含むことができる。ノードＢ１４０ａ、１４０ｂ、１４０ｃのそれぞれをＲＡＮ１０３内の特定のセル（図示せず）と関連付けることができる。ＲＡＮ１０３はさらに、ＲＮＣ１４２ａ、１４２ｂを含むこともできる。ＲＡＮ１０３は、実施形態と整合性を保った上で、任意の数のノードＢおよびＲＮＣを含むことができることが認識されよう。
【００３２】
図１Ｃに示すように、ノードＢ１４０ａ、１４０ｂは、ＲＮＣ１４２ａと通信できる。付加的には、ノードＢ１４０ｃは、ＲＮＣ１４２ｂと通信できる。ノードＢ１４０ａ、１４０ｂ、１４０ｃは、Ｉｕｂインタフェース経由でそれぞれＲＮＣ１４２ａ、１４２ｂと通信できる。ＲＮＣ１４２ａ、１４２ｂは、Ｉｕｒインタフェース経由で互いに通信できる。１４２ａ、１４２ｂのそれぞれは、接続されているノードＢ１４０ａ、１４０ｂ、１４０ｃのそれぞれを制御するように構成され得る。さらに、ＲＮＣ１４２ａ、１４２ｂのそれぞれは、外ループ電力制御、読み込み制御、許可制御、パケットスケジューリング、ハンドオーバー制御、マクロダイバーシティ、セキュリティ関数、データ暗号化などの、他の機能性を実施するまたはサポートするように構成され得る。
【００３３】
図１Ｃに示したコアネットワーク１０６は、メディアゲートウェイ（ＭＧＷ）１４４、モバイル交換センター（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上述した要素のそれぞれをコアネットワーク１０６の一部として示しているが、これらの要素のいずれも、コアネットワーク通信業者以外のエンティティによって所有および／または運用可能であることが認識されよう。
【００３４】
ＲＡＮ１０３内のＲＮＣ１４２ａをＩｕＣＳインタフェース経由でコアネットワーク１０６内のＭＳＣ１４６に接続できる。ＭＳＣ１４６をＭＧＷ１４４に接続できる。ＭＳＣ１４６およびＭＧＷ１４４は、ＷＴＲＵ１０２ａ、１０２ｂ、１０２ｃにＰＳＴＮ１０８などの回路交換ネットワークへのアクセスを提供して、ＷＴＲＵ１０２ａ、１０２ｂ、１０２ｃと従来の固定電話回線による通信デバイスとの間の通信を容易にすることができる。
【００３５】
ＲＡＮ１０３内のＲＮＣ１４２ａはまた、ＩｕＰＳインタフェース経由でコアネットワーク１０６内のＳＧＳＮ１４８にも接続され得る。ＳＧＳＮ１４８をＧＣＳＮ１５０に接続できる。ＳＧＳＮ１４８およびＧＣＳＮ１５０は、ＷＴＲＵ１０２ａ、１０２ｂ、１０２ｃにインターネット１１０などの、パケット交換ネットワークへのアクセスを提供して、ＷＴＲＵ１０２ａ、１０２ｂ、１０２ｃとＩＰ対応(IP-enabled)デバイスとの間の通信を容易にすることができる。
【００３６】
上述のように、コアネットワーク１０６はまた、他のサービスプロバイダによって所有および／または運用される他の有線または無線ネットワークを含むことができる、ネットワーク１１２にも接続され得る。
【００３７】
図１Ｄは、別の実施形態に従ったＲＡＮ１０４およびコアネットワーク１０７のシステム図である。上述のように、ＲＡＮ１０４は、Ｅ−ＵＴＲＡ無線テクノロジーを用いて、エアインタフェース１１６を介してＷＴＲＵ１０２ａ、１０２ｂ、１０２ｃと通信できる。ＲＡＮ１０４はまた、コアネットワーク１０７とも通信できる。
【００３８】
ＲＡＮ１０４は、ｅノードＢ１６０ａ、１６０ｂ、１６０ｃを含むことができるが、ＲＡＮ１０４は、実施形態と整合性を保った上で、任意の数のｅノードＢを含むことができることが認識されよう。ｅノードＢ１６０ａ、１６０ｂ、１６０ｃはそれぞれ、エアインタフェース１１６を介してＷＴＲＵ１０２ａ、１０２ｂ、１０２ｃと通信するための１または複数のトランシーバを含むことができる。一実施形態において、ｅノードＢ１６０ａ、１６０ｂ、１６０ｃは、ＭＩＭＯテクノロジーを実装できる。従って、ｅノードＢ１６０ａは、例えば、ＷＴＲＵ１０２ａに無線信号を送信し、そしてそのＷＴＲＵから無線信号を受信するための複数のアンテナを使用できる。
【００３９】
ｅノードＢ１６０ａ、１６０ｂ、１６０ｃのそれぞれを特定のセル（図示せず）と関連付けることができ、そして無線リソース管理決定、ハンドオーバー決定、アップリンクおよび／またはダウンリンクのユーザのスケジューリングなどを処理するように構成され得る。図１Ｄに示すように、ｅノードＢ１６０ａ、１６０ｂ、１６０ｃは、Ｘ２インタフェースを介して互いに通信できる。
【００４０】
図１Ｄに示したコアネットワーク１０７は、ＭＭＥモビリティ管理ゲートウェイ（ＭＭＥ）１６２、サービングゲートウェイ１６４、およびパケットデータネットワーク（ＰＤＮ）ゲートウェイ１６６を含むことができる。上述した要素のそれぞれをコアネットワーク１０７の一部として示しているが、これらの要素のいずれも、コアネットワーク通信業者以外のエンティティによって所有および／または運用可能であることが認識されよう。
【００４１】
ＭＭＥ１６２を、Ｓ１インタフェース経由でＲＡＮ１０４内のｅノードＢ１６０ａ、１６０ｂ、１６０ｃのそれぞれに接続でき、制御ノードとして機能できる。例えば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの初期アタッチの間に特定のサービングゲートウェイを選択することなどに関与することができる。ＭＭＥ１６２はまた、ＲＡＮ１０４と、ＧＳＭまたはＷＣＤＭＡなどの他の無線テクノロジーを用いる他のＲＡＮ（図示せず）とを切り替える制御プレーン機能を提供することもできる。
【００４２】
サービングゲートウェイ１６４をＳ１インタフェース経由でＲＡＮ１０４内のｅノードＢ１６０ａ、１６０ｂ、１６０ｃのそれぞれに接続できる。サービングゲートウェイ１６４は一般に、ＷＴＲＵ１０２ａ、１０２ｂ、１０２ｃへの／からのユーザデータパケットをルートしてフォワードできる。サービングゲートウェイ１６４は、ｅノードＢ間のハンドオーバーの間にユーザプレーンをアンカーすること、ダウンリンクデータがＷＴＲＵ１０２ａ、１０２ｂ、１０２ｃに使用可能になった時にページングをトリガすること、ＷＴＲＵ１０２ａ、１０２ｂ、１０２ｃのコンテキストを管理して記憶することなどの、他の機能も遂行できる。
【００４３】
サービングゲートウェイ１６４はまた、ＷＴＲＵ１０２ａ、１０２ｂ、１０２ｃにインターネット１１０などの、パケット交換ネットワークへのアクセスを提供して、ＷＴＲＵ１０２ａ、１０２ｂ、１０２ｃとＩＰ対応(IP-enabled)デバイスとの間の通信を容易にすることができる、ＰＤＮゲートウェイ１６６にも接続され得る。
【００４４】
コアネットワーク１０７は、他のネットワークとの通信を容易にすることができる。例えば、コアネットワーク１０７は、ＷＴＲＵ１０２ａ、１０２ｂ、１０２ｃにＰＳＴＮ１０８などの回路交換ネットワークへのアクセスを提供して、ＷＴＲＵ１０２ａ、１０２ｂ、１０２ｃと従来の固定電話回線による通信デバイスとの間の通信を容易にすることができる。例えば、コアネットワーク１０７は、コアネットワーク１０７とＰＳＴＮ１０８との間のインタフェースとして機能するＩＰゲートウェイ（例えば、ＩＰマルチメディアサブシステム（ＩＭＳ）サーバ）を含むことができるか、またはこれと通信できる。さらに、コアネットワーク１０７は、他のサービスプロバイダによって所有および／または運用される他の有線または無線通信ネットワークを含むことができる、ネットワーク１１２へのアクセスをＷＴＲＵ１０２ａ、１０２ｂ、１０２ｃに提供できる。
【００４５】
図１Ｅは、別の実施形態に従ったＲＡＮ１０５およびコアネットワーク１０９のシステム図である。ＲＡＮ１０５は、ＩＥＥＥ８０２．１６無線テクノロジーを用いて、エアインタフェース１１７を介してＷＴＲＵ１０２ａ、１０２ｂ、１０２ｃと通信するアクセスサービスネットワーク（ＡＳＮ）であってよい。以下にさらに論じられるように、ＷＴＲＵ１０２ａ、１０２ｂ、１０２ｃの異なる機能エンティティとＲＡＮ１０５とコアネットワーク１０９との間の通信リンクを参照ポイントとして定義できる。
【００４６】
図１Ｅに示すように、ＲＡＮ１０５は、基地局１８０ａ、１８０ｂ、１８０ｃおよびＡＳＮゲートウェイ１８２を含むことができるが、ＲＡＮ１０５は、実施形態と整合性を保った上で、任意の数の基地局およびＡＳＮゲートウェイを含むことができることが認識されよう。基地局１８０ａ、１８０ｂ、１８０ｃをそれぞれ、ＲＡＮ１０５内の特定のセル（図示せず）と関連付けることができ、そしてそれぞれは、エアインタフェース１１７を介してＷＴＲＵ１０２ａ、１０２ｂ、１０２ｃと通信するための１または複数のトランシーバを含むことができる。一実施形態において、基地局１８０ａ、１８０ｂ、１８０ｃは、ＭＩＭＯテクノロジーを実装できる。従って、基地局１８０ａは、例えば、ＷＴＲＵ１０２ａに無線信号を送信する、およびそのＷＴＲＵから無線信号を受信するための複数のアンテナを使用できる。基地局１８０ａ、１８０ｂ、１８０ｃはさらに、ハンドオフトリガリング、トンネル確立、無線リソース管理、トラフィック分類、サービス品質（ＱｏＳ）ポリシー強制などの、モビリティ管理機能を提供することもできる。ＡＳＮゲートウェイ１８２は、トラフィック集合ポイントとして機能でき、そしてページング、加入者プロファイルのキャッシング、コアネットワーク１０９へのルーティングなどに関与することができる。
【００４７】
ＷＴＲＵ１０２ａ、１０２ｂ、１０２ｃとＲＡＮ１０５との間のエアインタフェース１１７は、ＩＥＥＥ８０２．１６仕様を実装するＲ１参照ポイントとして定義され得る。さらに、ＷＴＲＵ１０２ａ、１０２ｂ、１０２ｃのそれぞれは、コアネットワーク１０９との論理インタフェース（図示せず）を確立できる。ＷＴＲＵ１０２ａ、１０２ｂ、１０２ｃとコアネットワーク１０９との間の論理インタフェースは、認証、承認、ＩＰホスト構成管理、および／またはモビリティ管理に使用できる、Ｒ２参照ポイントとして定義され得る。
【００４８】
基地局１８０ａ、１８０ｂ、１８０ｃのそれぞれの間の通信リンクは、ＷＴＲＵハンドオーバーおよび基地局間のデータ転送を容易にするためのプロトコルを含むＲ８参照ポイントとして定義できる。基地局１８０ａ、１８０ｂ、１８０ｃとＡＳＮゲートウェイ１８２との間の通信リンクをＲ６参照ポイントとして定義され得る。Ｒ６参照ポイントは、ＷＴＲＵ１０２ａ、１０２ｂ、１０２ｃのそれぞれと関連付けられるモビリティイベントに基づいてモビリティ管理を容易にするためのプロトコルを含むことができる。
【００４９】
図１Ｅに示すように、ＲＡＮ１０５をコアネットワーク１０９に接続できる。ＲＡＮ１０５とコアネットワーク１０９との間の通信リンクは、例えば、データ転送およびモビリティ管理能力を容易にするためのプロトコルを含むＲ３参照ポイントとして定義できる。コアネットワーク１０９は、モバイルＩＰホームエージェント（ＭＩＰ−ＨＡ）１８４、認証、承認、アカウンティング（ＡＡＡ）サーバ１８６、およびゲートウェイ１８８を含むことができる。上述した要素のそれぞれをコアネットワーク１０９の一部として示しているが、これらの要素のいずれも、コアネットワーク通信業者以外のエンティティによって所有および／または運用可能であることが認識されよう。
【００５０】
ＭＩＰ−ＨＡは、ＩＰアドレス管理に関与することができ、そしてＷＴＲＵ１０２ａ、１０２ｂ、１０２ｃが、異なるＡＳＮおよび／または異なるコアネットワーク間でロームすることを可能にできる。ＭＩＰ−ＨＡ１８４は、ＷＴＲＵ１０２ａ、１０２ｂ、１０２ｃにインターネット１１０などパケット交換ネットワークへのアクセスを提供して、ＷＴＲＵ１０２ａ、１０２ｂ、１０２ｃとＩＰ対応の(IP-enabled)デバイスとの間の通信を容易にすることができる。ＡＡＡサーバ１８６は、ユーザ認証およびユーザサービスのサポートに関与することができる。ゲートウェイ１８８は、他のネットワークとの相互作用を容易にすることができる。例えば、ゲートウェイ１８８は、ＷＴＲＵ１０２ａ、１０２ｂ、１０２ｃにＰＳＴＮ１０８など回路交換ネットワークへのアクセスを提供して、ＷＴＲＵ１０２ａ、１０２ｂ、１０２ｃと従来の固定電話回線による通信デバイスとの間の通信を容易にすることができる。さらに、ゲートウェイ１８８は、他のサービスプロバイダによって所有および／または運用される他の有線または無線ネットワークを含むことができる、ネットワーク１１２へのアクセスをＷＴＲＵ１０２ａ、１０２ｂ、１０２ｃに提供できる。
【００５１】
図１Ｅに示していないが、ＲＡＮ１０５を他のＡＳＮに接続でき、およびコアネットワーク１０９を他のコアネットワークに接続できることが認識されよう。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを調整するためのプロトコルを含むことができる、Ｒ４参照ポイントとして定義され得る。コアネットワーク１０９と他のコアネットワークとの間の通信リンクは、ホームコアネットワークと移動してきた(visited)コアネットワークとの間の相互作用を容易にするためのプロトコルを含むことができる、Ｒ５参照ポイントとして定義され得る。
【００５２】
限定ではなく、説明を目的として、実施形態は、以下の頭文字およびそれらに関する記述を企図する。
【００５３】
Ｄ−ＧＷ（またはＤＧＷ）  分散ゲートウェイ
ＤＭＭ                    分散モビリティ管理
ＧＴＰ                    ＧＰＲＳトンネリングプロトコル
ＧＷ                      ゲートウェイ
ＨＯ                      ハンドオーバー
Ｌ−ＧＷ（またはＬＧＷ）  ローカルゲートウェイ
ＬＨＮ                    ローカルホームネットワーク
ＬＭＡ                    ローカルモビリティアンカー
ＭＡＧ                    メディアアクセスゲートウェイ
ＭＩＰ                    モバイルＩＰプロトコル
ＰＢＡ                    プロキシバインディング肯定応答
ＰＢＵ                    プロキシバインディングアップデート
ＰＤＮ                    パケットデータネットワーク
ＰＧＷ                    ＰＤＮゲートウェイ
ＰＭＩＰ                  プロキシＭＩＰ
ＵＥ                      ユーザ機器
ＷＴＲＵ                  無線送信／受信ユニット
【００５４】
実施形態は、分散ゲートウェイ（Ｄ−ＧＷ）がＤＭＭのアンカーノードとして機能できることを企図する。ＤＭＭは、アンカーノードをネットワークの境界(edge)にプッシュ(push)することができ、複数のアンカーノードの使用を可能にできる。ＤＭＭベースのネットワークアーキテクチャの例示的なハイレベルのグローバルビューが図２Ａおよび図２Ｂに示され、それらの図を組み合わせて図２が形成される。実施形態は、「分散ゲートウェイ（Ｄ−ＧＷ）」と呼ばれる（説明を目的とし、限定されない）論理ネットワークエンティティを、恐らくＷＴＲＵに近い（または隣接する）ネットワークの境界において導入できることを企図する。１または複数の実施形態において、Ｄ−ＧＷは既存の３ＧＰＰノードと配置される（collocated）および／またはスタンドアロンのエンティティとしてデプロイされうる。
【００５５】
図３を形成するために組合される、図３Ａおよび図３Ｂは、１または複数の実施形態によって企図された例示的なＤＭＭのネットワークベースの（ＧＴＰおよびＰＭＩＰｖ６バリアント型）実装を示している。図３において、ＷＴＲＵによってリクエストされたＰＤＮ接続をＤ−ＧＷによって処理できる。Ｄ−ＧＷのプールからのＩＰｖ６をＷＴＲＵに割り当てることができる。このプリフィックスは、ＷＴＲＵに伝達されて、ＷＴＲＵがＩＰｖ６アドレスを自動構成する(auto-configure)ことができるようする。ＷＴＲＵはその後、恐らくモバイルコアネットワーク（ＭＣＮ）をトラバースせずに、Ｄ−ＧＷ経由でルートされ得る、ＩＰｖ６の送信および／または受信を開始することができる。
【００５６】
一部の実施形態において、２つの技術のうちの少なくとも１つは、例えば、理由の中でもとりわけ、ＷＴＲＵが別のアクセスネットワークに移動する、および／または、アタッチする場合に実装され得る。一部の実施形態において、ＷＴＲＵが確立したと考えられるパケットデータネットワーク（ＰＤＮ）接続は、例えば、アドレス保存のために維持され得る（および一部の実施形態において、恐らく保持する必要がある）。これは、恐らくＷＴＲＵのＰＤＮ接続のうちの１または複数、またはそれぞれに対して、ＷＴＲＵによって使用されるＩＰアドレスをアンカーするＤ−ＧＷが、そのＰＤＮ接続に対するＰＮＤゲートウェイ（ＰＧＷ）の役割を果たす（例えば、ＬＭＡ）ことを伴う。例えば、Ｄ−ＧＷは、そのＷＴＲＵおよび／またはそのＰＤＮ接続に対するＬＭＡ機能の性能を推測できる。一部の実施形態において、ＷＴＲＵがアタッチされたＤ−ＧＷは、他のＤ−ＧＷにアンカーされたＷＴＲＵのＰＤＮ接続のうちの１または複数、またはそれぞれに対してＭＡＧの役割（例えば、各ＬＭＡに向かうＧＴＰ／ＰＭＩＰｖ６トンネルを生成する）を果たすことができる（および一部の実施形態において、恐らくその役割を果たさなければならない）。
【００５７】
一部の実施形態において、ＷＴＲＵは、新しい（例えば、未使用の）ＰＤＮ接続（または幾つかの未使用の接続）を現在ＷＴＲＵがアタッチされているＤ−ＧＷにリクエストできる。これは、恐らく通信事業者のネットワークリソースをより上手く使用するまたは比較的最大に使用する間、ＷＴＲＵによって最適なまたは比較的最適なルーティングを利用するために使用される、サービングＤ−ＧＷにおいてアンカーされたＩＰｖ６アドレスをＷＴＲＵに提供できる。
【００５８】
一部の実施形態において、ＤＭＭ手法によって提供され得る１または複数の有益な態様は、ＷＴＲＵのスマートＩＰアドレス管理によって可能にできる。１または複数の実施形態は、ＷＴＲＵによって使用され得るＩＰアドレス選択機構を強化して、現在ＷＴＲＵがアタッチされているＤ−ＧＷにおいてアンカーされたＩＰｖ６アドレスをＷＴＲＵが選好するようにさせることを企図する。このようにして、新しい（例えば、未使用の）通信は、ローカルにアンカーされたＩＰｖ６アドレスを利用できる一方、より古い通信は、例えば、ＩＰｖ６アドレスの継続性を確保することによって保持され得る（例えば、恐らくシームレスに保持される）。
【００５９】
実施形態は、１または複数のＤＭＭ対応のアーキテクチャモデル(DMM-Enabled Architecture Models)を企図する。実施形態は、このアーキテクチャモデルの一部を過密なネットワークの状況において企図する。
【００６０】
１または複数の実施形態は、過密ネットワーク(Dense Network)におけるＬ−ＧＷを企図する。例えば、過密なネットワークにおいて、ＷＴＲＵは、同じＬＨＮおよび／または異なるＬＨＮ内から１または複数、または多数のＬ−ＧＷにアクセスでき、および／または同じまたは異なるＰＤＮに接続できる。このような実施形態の例を図４に示す。
【００６１】
１または複数の実施形態は、過密ネットワークにおけるＤ−ＧＷ（またはＤＧＷ）を企図する。ＤＭＭにおいて、分散ゲートウェイ（Ｄ−ＧＷ）をアンカーノードにすることができ、そしてＷＴＲＵは、ＤＭＭを実装している別のアクセスＧＷに行く時、恐らくセッションの接続性が保持されている間、別のＤ−ＧＷ（例えば、アンカーノード）に接続できる。過密なネットワークにおいて、例えば、ＷＴＲＵは、同じまたは異なるテクノロジー／インタフェースを使用して１または複数、または多数のＬ−ＧＷにアクセスできる。このような実施形態の例を図５に示す。
【００６２】
実施形態は、ノード距離評価(Node Distance Evaluation) を企図する。１または複数の実施形態は、ＷＴＲＵ自体と、ＷＴＲＵが通信（または「参照」）できるアンカーノードとの間の距離を評価するＷＴＲＵの能力を企図する。ＷＴＲＵとアンカーノードとの間の距離は、例えば、アンカーノードのジオロケーション(geo-location)をＷＴＲＵに送信可能にすることによって評価され得る。一部の実施形態において、ＷＴＲＵは、例えば、内部ＧＰＳを使用して、ＷＴＲＵ自身のジオロケーションを知ることが見込まれる。どのアンカーノードが１つまたは複数の距離範囲内にあるかどうかを判定するための１または複数の算出がＷＴＲＵによって行われ得る。一部の実施形態において、距離範囲はまた、同じ範囲内のアンカーノードが、例えば、等距離であると見なすことができるようにも構成され得る。
【００６３】
実施形態は、コアネットワークにおいてシグナリングが削減および／または制限されることが有益であると企図する。ネットワークの高密度化によって、この高密度化の結果、より多くのハンドオーバーが生じ、その結果、より多くのシグナリングが生じ得るので、制限されたシグナリングは、より有益となる。実施形態は、恐らくセッションの継続性を確保するために生成された、トンネルの数が、例えば、アンカーノードの数とともに増加し得るので、ＤＭＭ技術の使用によってこのようなシグナリングを増加できることを認識している。
【００６４】
実施形態は、過密なネットワークが、例えば、互いに近くになり得る（または一部の実施形態において、恐らく互いに非常に近い）複数のアンカーノードを有し得るネットワークとして説明されることを企図する。一部の実施形態において、互いに「近い」というのは、地理的に互いに近くに位置する（例えば、歩ける距離）アンカーノードおよび／またはアンカーノード（例えば、任意の２つのアンカーノード）間にわずかな中間ルータしか存在しない、ルーティングレベルのアンカーノードによって示すことができる。一部の実施形態において、「非常に近い」というのは、アンカーノード（例えば、任意の２つのアンカーノード）間に位置する中間ルータが殆どないまたは全くないアンカーノードによって示すことができる。過密なネットワークにおいて、幾つかの（または恐らく多数の）潜在的な接続が存在することもあり、ＷＴＲＵは、アクセス可能であるアンカーノードを頻繁に（または一部の実施形態において、恐らく常に）発見している可能性がある。実施形態は、このような潜在的な多数の使用可能なアンカーノードがモビリティおよび／または帯域管理の機会を提供できることを企図する。実施形態はまた、潜在的な接続の数が、例えば、一部の課題を招く場合があること：課題の中でもとりわけ、頻繁なハンドオーバーがサポートされる場合があり（または一部の実施形態において、恐らくサポートされる必要がある）、および／または幾つかのトンネルが最後には生成されることになるおよび／または保持され得る（または一部の実施形態において、恐らく保持される必要がある）ことも認識している。
【００６５】
実施形態は、トンネルの使用がセッションの継続性を可能にできることを認識している。実施形態はまた、トンネルの生成／保持が付加的な制御プレーントラフィックを発生させる恐れがあるおよび／またはトンネリングによってデータパスが最適でなくなる恐れがあることも認識している。また、例えば、ハンドオーバーの追加処理のため、ユーザ体験が悪化し得る。実施形態は、恐らくシナリオの中でもとりわけ、過密なネットワークアーキテクチャを考慮しておよび／または（論理的根拠の中でもとりわけ）既存のＤＭＭ技術に基づいて、ネットワークおよび／またはＷＴＲＵ上の（本明細書で説明されるような）改善が恐らく、例えば、前述の負の条件および他の企図された負の条件を回避するのに有益となることを企図する。
【００６６】
実施形態は、ＤＭＭ技術が過密なネットワーク環境において十分効率的に使用されるようにする１または複数の技術を企図する。１または複数の実施形態は、例えば、過密なネットワークのような、ＤＭＭ対応ネットワークにおいてトンネルの数を最小にする１または複数の技術を企図する。さらなる例として、１または複数の実施形態は、接続を一緒にバンドルすることによってトンネルの数を最小にできることを企図する。また一例として、１または複数の実施形態は、ＩＰアドレスを別のアンカーに移動することによってトンネルの数を最小にできることを企図する。
【００６７】
実施形態は、接続バンドリング(bundling)を企図する。１または複数の実施形態は、過密なネットワークにおいて発展することができるＷＴＲＵが、１または複数、または複数の、互いに近くである（例えば、比較的近いまたは非常に近い）ＤＧＷへのハンドオーバー（ＨＯ）を行うことができることを企図する。ＷＴＲＵは、これらのＤＧＷ（Ｄ−ＧＷ）のうちの１または複数、または各々からＩＰアドレスを取得できる。ＷＴＲＵが別のＤＧＷへのハンドオーバーを行うことができる１または複数、または複数の時間に、対応するＩＰアドレスを使用してセッションのフローの継続性を保持するために、付加的なトンネルを生成できる（または一部の実施形態において、恐らく生成する必要がある）。ＷＴＲＵは、恐らく理由の中でもとりわけ、トンネルの数を最小にするために、幾つかの接続、または多数の接続を一緒にバンドルするおよび／またはこれらの接続を介して使用されるＩＰアドレス（例えば、恐らく単一のＩＰアドレス）を選択することができる。
【００６８】
実施形態は、一定の時間の間、ＷＴＲＵをＧＷに接続できることを企図する。このようなシナリオにおいて、とりわけ、恐らくたとえ同じバンドリング内のＧＷから取得されたＩＰアドレスを使用することができても、現在接続されているＧＷからのＩＰアドレスを新しい（未使用の）フローが使用できることを可能にする。実施形態は、理由の中でもとりわけ、恐らくこのような振る舞いをサポートするために、ＷＴＲＵのソースＩＰアドレスの選択が強化され得ることを企図する。
【００６９】
実施形態は、シナリオの中でもとりわけ、例えば、ＷＴＲＵが別のＤＧＷに移動できる時に、接続を一緒にバンドルすることによってより少ないトンネルの生成を可能にできることを企図する。一部の実施形態において、ＤＧＷから割り振られたＩＰアドレスが使用されない可能性がある。例えば、ＤＧＷへの直接接続が喪失／終了されると、どの関連フローも解放されない。従って、このようなＤＧＷとのセッションの継続性を保持するためのトンネルは、生成されない（または恐らく生成する必要がない可能性がある）。例えば、５つの接続が一緒にバンドルされている場合、割り振られた５つのＩＰアドレスのうち少なくとも１つのＩＰアドレスがＷＴＲＵによって使用され得る（または恐らく一部の実施形態において、恐らく１つのみのＩＰアドレスが使用され得る）。シナリオの中でもとりわけ、例えば、ＷＴＲＵが別のＤＧＷへのＨＯを行う場合、トンネル（例えば、ＷＴＲＵによって使用中のＩＰアドレスを割り振ることができたＤＧＷに向かうトンネル）が生成され得る（または一部の実施形態において、恐らく１つのみのトンネルが生成され得る）。
【００７０】
１または複数の実施形態は、バンドリングを、例えば、恐らく、受容できないデータパス長を持たないようにするために少数の接続を用いるだけでなく、トンネルの数を十分最小にするのに十分な接続を用いて、知的に(intelligently)行うことができることを企図する。バンドルされる接続の数は、構成可能にすることができ、および／または例えば、ＤＧＷ間の距離に相関させることもできる。本明細書で説明されるアンカーノードの距離評価を使用して、ＤＧＷ間の距離を評価できる。
【００７１】
１または複数の実施形態において、バンドリングをＷＴＲＵ上またはＷＴＲＵによって行うことができる。代替的または付加的には、ネットワークは、例えば、集団技術が使用される場合、バンドリングに関与し得る。一例として、ネットワークプロバイダは、１または複数、または各々のアンカーノードにグループ番号を割り当てることができる。このようなシナリオにおいて、とりわけ、ＷＴＲＵは、例えば、バンドリングを行うためのグループＩＤを使用できる。
【００７２】
一部の実施形態において、アンカーノードは、それぞれのバンドリングの関連付けに関与するおよび／または気付く可能性とそうでない可能性がある。一部の実施形態において、それぞれのアンカーノードは、例えば、他のアンカーノードとバンドルされていると気付く可能性と気付かない可能性がある。
【００７３】
１または複数の実施形態において、ＷＴＲＵ上で、バンドリングを論理的にすることができる。一部の実施形態において、別のアンカーノードへのＨＯを行うことができ、および／またはＷＴＲＵによって新しい（例えば、そのＷＴＲＵにとって新しい）ＩＰアドレスを取得できる。ＷＴＲＵ上で、論理的バンドリングは、例えば、１または複数のアプリケーションから新しく取得したＩＰアドレスを隠蔽することができる。代替的または付加的には、新しく取得したＩＰアドレスに、（例えば、使用されないために）非推奨（deprecated）としてフラグを立てることができる。一部の実施形態において、新しく接続されたアンカーノードおよび／またはＩＰアドレスを、現在使用されているアンカーノードおよび／またはＩＰアドレスにバンドルする決定は、ＷＴＲＵ上で、例えば、恐らくネットワークに透過的に行うことができる。１または複数の実施形態は、ＷＴＲＵ上の決定を基準の中でもとりわけ、アンカーノード（複数）の位置に基づいて行うことができることを企図する。
【００７４】
例えば、図６について、ひとたびＩＰアドレス（例えば、ＩＰａアドレス、図示せず）がアンカーノード（例えば、アンカーノードＡ、または単に、ノードＡ）から取得されると、このＩＰアドレス（ＩＰａアドレス、図示せず）を使用するフローを開始できる。一部の実施形態において、ＷＴＲＵは、他のアンカーノードへの１または複数のハンドオーバー（ＨＯ）を遂行できる。一部の実施形態において、ＷＴＲＵは、他のアンカーノードが、現在使用されているＩＰアドレス（ＩＰａアドレス）を割り振ることができたアンカーノードから、例えば、（企図された長さの中でもとりわけ）５００フィート未満に位置する場合、そのような他のアンカーノードから割り振られ得るＩＰアドレスを使用しないように決定することができる。例えば、ＷＴＲＵは、ノードＡとノードＢの両方が同じ論理的バンドリング６００２に含まれる程に、ノードＢがノードＡに十分近いと判定するように構成され得る。従って、ＷＴＲＵは、ノードＢから入手可能なＩＰアドレス（例えば、ＩＰｂアドレス、図示せず）を使用しない可能性がある。
【００７５】
再び例として、ＷＴＲＵ上で、バンドリングは、ＩＰアドレスを使用できるアンカーノードと他方のアンカーノードとの間の距離に基づくことができる（例えば、ＷＴＲＵによって動的に判定される）。距離が（例えば、所定の閾値、または他の基準と比較して）遠すぎると判定される場合、新しく割り振られたＩＰアドレスを新しい（例えば、未使用の）フローに使用されるＩＰアドレスとして選択できるおよび／または以前に使用されたＩＰアドレスを非推奨として設定できる。他方のアンカーノードから取得され得る後続のＩＰアドレスに対し、それぞれに対応するアンカーノードの位置は、現在選択されているＩＰアドレス（例えば、現在使用されているＩＰアドレス）を取得することができたアンカーノードと比較され得る。一部の実施形態において、接続バンドリングは、（例えば、ＷＴＲＵおよび／またはネットワークエンティティその他によって）１または複数、または各々のノード（またはノード接続）を特定のグループ（例えば、論理グループ）、または複数のグループ（例えば、１または複数の論理グループ）に割り当てることによって可能にできる。一部の実施形態において、このグループ割り当ては、動的に行われてもよいし、所定であってもよい。一部の実施形態において、他方のアンカーノードから取得され得る後続のＩＰアドレスに対し、それぞれに対応するアンカーノードの論理グループ（例えば、グループ識別子）は、現在選択されているＩＰアドレス（例えば、現在使用されているＩＰアドレス）を取得することができたアンカーノードの論理グループ（例えば、グループ識別子）と比較され得る。
【００７６】
１または複数の実施形態は、ＷＴＲＵが同じグループのＧＷ間でＨＯを行うように構成され得ることを企図する。ＷＴＲＵは、特定のグループの第１のＧＷに接続できる。一部の実施形態において、ＷＴＲＵは、このＧＷから取得されたＩＰアドレスを使用するように構成され得る。一部の実施形態において、ＷＴＲＵは、同じグループの一部である別の（例えば、第２の）ＧＷに移動できる。一部の実施形態において、この第２のＧＷから取得され得るＩＰアドレスが使用されない可能性がある。第１のＩＰアドレスはなおも、開始され得る１または複数の新しい（例えば、未使用の）フロー用に選択される場合がある。ＷＴＲＵは、第２のグループの一部である別の（例えば、第３の）ＧＷ（例えば、第１および第２のＧＷとは異なるグループ）に移動できる。一部の実施形態において、他の理由の中でもとりわけ、恐らくセッションの継続性を保持するために、（例えば、第１のＧＷへの）少なくとも１つのトンネルが生成され得る（または恐らく、一部のシナリオにおいて、１つのみのトンネルが使用され得るおよび／または有益である）。
【００７７】
例えば、図６について、ＷＴＲＵが、両方のノードがバンドリング６００２の一部である、ノードＡからノードＢへハンドオーバーする時、ＷＴＲＵは、ノードＢと接続する間、ＩＰａを継続して使用できる。ＷＴＲＵがバンドリング６００６のノードＭに接続する時、ＷＴＲＵは、ＩＰｍ（図示せず）を使用でき、および／またはＩＰａを継続して使用できる。ノードＡとノードＭとの間のトンネル６０１０を確立して、ＩＰａがＷＴＲＵに向かうように指示できる１または複数のデータフローをフォワードできる。
【００７８】
さらなる例として、ＩＰａはなおも、ＷＴＲＵで稼働するアプリケーションによって使用中にすることができる。アンカーノードＭとアンカーノードＡとの間のトンネル６０１０を使用して、ＩＰａを使用するＩＰパケットをトランスポートできる。例えば、コレスポンデントノード（図示せず）からＷＴＲＵに送信され得る１または複数のダウンリンクパケットは、アンカーノードＡ（例えば、ＩＰａの所有者）において受信され得る。アンカーノードＡは、１または複数のパケットを現在接続されているアンカーノードＭに（例えば、トンネル６０１０経由で）トンネルできる。アンカーノードＭは、１または複数のパケットをＷＴＲＵにフォワードできる。例えば、アップリンク方向において、ＩＰａを使用できるＷＴＲＵからの１または複数のＩＰパケットは、それらのパケットを（例えば、トンネル６０１０経由で）アンカーノードＡにトンネルできる、直接接続されたアンカーノードＭに送信され得る。アンカーノードＡは、１または複数のアップリンクＩＰパケットをコレスポンデントノードにフォワードできる。さらに例として、それぞれ、アンカーノードＨとアンカーノードＭを接続でき、アンカーノードＪとアンカーノードＭを接続できる、トンネル６０１２および／またはトンネル６０１４は、トンネル６０１０に関して説明された方法と同様の方法で（例えば、ＩＰｈおよび／またはＩＰｊを使用するパケットに関する方法で）使用され得る。一部の実施形態において、トンネル６０１０、６０１２、および／または６０１４は、対応するＩＰアドレスを使用することがどのアプリケーション／フローにとっても有益でない可能性がある場合に閉じられる（例えば、トンネル６０１２は、アプリケーションがＩＰｈをこれ以上使用しない場合に閉じられる）。
【００７９】
一部の実施形態において、理由の中でも特に、恐らく、アンカーノードＢおよび／またはＫからそれぞれ取得することができたＩＰアドレスである、ＩＰｂおよび／またはＩＰｋ（図示せず）がＷＴＲＵによって使用されなかった可能性があるので、アンカーノードＢおよび／またはＫ（例えば）に向かうどのトンネルも有益でない。言い換えれば、ＩＰアドレスである、ＩＰｂおよび／またはＩＰｋが、ＷＴＲＵで稼働するどのアプリケーション／フローによっても使用されない可能性があるので、ノードＢおよび／またはＫのトンネリング経由で保持されるセッションの継続性は有益でない可能性があり、そのようなトンネルは、生成されない可能性がある。１または複数の実施形態は、シナリオの中でも特に、バンドリングが、例えば、ＷＴＲＵが多数のＨＯを行うことになる、幾つかの保持されるトンネルを削減できることを企図する。
【００８０】
図６はまた、例示的な接続バンドリング環境においてＩＰアドレスがＷＴＲＵによって取得され得る例示的なノード選択も示している。例としての図であり限定されない、図６において、ＷＴＲＵは、ＷＴＲＵが比較的長い時間期間留まることができる、アンカーノードＭに接続することが示されたパスをトラバースすることができた。アンカーノードと関連付けられた異なる楕円形はそれぞれ、異なるバンドリング６００２、６００４、および６００６を表す。一部の実施形態において、ＷＴＲＵは、バンドリング６００２内のアンカーノードＡに接続でき、および／またはＩＰアドレスであるＩＰａを取得できる。アンカーノードＢへのＨＯが行われると、別のＩＰアドレスである、ＩＰｂを取得できる。一部の実施形態において、例えば、バンドリング６００２内でアンカーノードＢをアンカーノードＡにバンドルすることができるので、ＩＰｂは、ＷＴＲＵによって使用されない可能性がある（例えば、ＩＰｂは、非推奨としてのフラグが立てられるおよび／または１または複数のＷＴＲＵアプリケーションから論理的に隠蔽され得る）。ＷＴＲＵは、例えば、（バンドリング６００４内の）アンカーノードＨ、（バンドリング６００６内の）アンカーノードＪ、および／またはアンカーノードＫへの他の多くのＨＯを遂行することができ、そしてＷＴＲＵは、ＷＴＲＵがある時間期間（例えば、比較的長い時間期間）接続状態にできるアンカーノードＭに行くことができる。ＷＴＲＵが使用できるＩＰアドレスは、ＩＰａ、ＩＰｈ、ＩＰｊおよび／またはＩＰｍである（どれも図示せず）。これらのＩＰアドレスは、恐らくＷＴＲＵが、ある時間期間（例えば、比較的長時間）このアンカーノードＭに接続され得る理由により使用できるＩＰｍを除いて、それぞれの接続バンドリング６００２、６００４、および／または６００６から取得されたＩＰアドレスの最初のアドレスになり得る。ＩＰｍの使用によって、比較的最適な（例えば、「最高の」）データパス（例えば、トンネリングしない）を提供できる。
【００８１】
実施形態は、ＩＰアドレス管理(IP Address Management)を企図する。本明細書で説明されるように、ＷＴＲＵは、ＤＭＭをサポートする異なるアンカーノードに接続できる。一部の実施形態において、ＷＴＲＵは、最後には異なるゲートウェイにアンカーされる複数のフローを有することになる。ＷＴＲＵは、ＷＴＲＵが接続できる１または複数、または各々のアンカーノードからＩＰアドレスを取得できる。セッションの継続性は、ＩＰアドレス（恐らくＷＴＲＵがもはや接続されていない可能性がある）をＷＴＲＵに割り当てることができた１または複数のアンカーノードと、ＷＴＲＵを現在接続できるアンカーノードと間の１または複数のトンネルを生成することによって取得され得る。
【００８２】
実施形態は、理由の中でもとりわけ、恐らく潜在的な接続およびその結果として生じるＨＯおよび／またはトンネルの数の理由により、過密なネットワークにおいて有益である、ＤＭＭを処理する１または複数の技術を企図する。１または複数の実施形態は、処理する（例えば、所有権）ＩＰアドレスをあるアンカーノードから別のアンカーノードに転送する能力を企図する。
【００８３】
実施形態は、ＩＰアドレスの転送を企図する。別のアンカーノードに移動することになるＷＴＲＵによって使用されたＩＰアドレスの転送は、有益である。恐らく一部の実施形態において、他の理由の中でもとりわけ、以前のアンカーノードと現在のアンカーノードとの間のトンネリングが必要ないので、比較的短い（例えば、「最短の」）データパスをＷＴＲＵが使用することを可能にできることを企図する。実施形態は、より良いサービス品質（ＱｏＳ）をアプリケーションに提供でき、および／またはより良い体感品質（ＱｏＥ）をユーザに提供できる。恐らく、現在のＤＭＭサポートを用いてＷＴＲＵが遂行できるＨＯが多ければますます、それだけ多くのトンネルが生成されおよび／またはそれだけ多くのＩＰアドレスが割り振られることになるので、実施形態は、アンカーノードおよび／またはＷＴＲＵをより効率的にすることができる。実施形態は、これらのトンネルの保持が、例えば、メモリ、ＣＰＵなどの、アンカーノードおよび／またはＷＴＲＵのリソースを消費し得ることを認識している。実施形態はまた、トンネルを保持するために必要となり得る（例えば、そのようなトンネルをアライブ(alive)状態に保つ）シグナリングを削減することもできる。
【００８４】
実施形態は、ＩＰアドレスを転送するために使用できる１または複数の強化されたトンネリングプロトコル／技術を企図する。例えば、ＰＭＩＰｖ６をネットワークベースのソリューションにおいてＩＰアドレスの転送を記述するトンネリングプロトコルとして使用することにより、プロキシバインディングアップデート（ＰＢＵ）が変更されて、ＩＰアドレス（恐らく、特定のＩＰアドレス）が移動される要求ができるように指定できる。このようなシナリオにおいて、とりわけ、トンネルを生成することができ、そしてＰＢＵを受信するＧＷは、プロキシバインディング肯定応答（ＰＢＡ）で応答できる。他のシナリオの中でもとりわけ、例えば、ＧＷがＩＰアドレスの転送をサポートでき、および／またはＩＰアドレスを移動することに同意できる場合、リクエストを肯定応答するＰＢＡが返信される。代替的または付加的には、シナリオの中でもとりわけ、ＧＷがＩＰの転送をサポートしない場合、例えば、トンネルの生成を肯定応答するＰＢＡがなおも返信され得る。一部の実施形態において、ＰＢＡは、ＩＰアドレスが実際のＧＷにアタッチされたままの状態になる戻りコード（今までそのような目的で定義されていない可能性がある）を指定できる。これによって、このＩＰ転送能力をサポートするおよび／またはサポートしないＧＷのミックスを可能にできる。
【００８５】
実施形態は、ＰＢＵ／ＰＢＡメッセージを現在のＤＭＭにおいて交換できるので、変更されたＰＢＵ／ＰＢＡメッセージの使用によりシグナリングが増加する可能性がないことを企図する。１または複数の実施形態は、ＩＰアドレスの転送を実装するメッセージを使用するおよび／または導入することができ、恐らくこのようなメッセージが有益であることを企図する。
【００８６】
１または複数の実施形態は、ＷＴＲＵに届ける途中であるＩＰパケットのルーティングを可能にする２つのＧＷ間のトンネルをある時間期間（例えば、恐らく短い時間期間）に生成できることを企図する。このトンネルは、ダウンリンク方向において使用され得る（または恐らく一部の実施形態において、唯一使用され得る）。転送されたＩＰアドレスを使用するおよび／またはソースＧＷによって受信されたパケットはその後、このトンネル経由でターゲットＧＷに送信され得る。ＷＴＲＵからのアップリンクパケットは、恐らく一部の実施形態においてトンネルおよび／またはソースＧＷを通過せずに、ターゲットＧＷにおいて受信されるおよび／またはインターネットに直接フォワードされ得る。一部の実施形態において、シナリオの中でもとりわけ、恐らくネットワーク内のルーティングを（例えば、ターゲットＧＷに行く）新しいルーティング命令に適応させることができるある時間期間（例えば、短い時間期間）の後、トンネルを閉じることができる。
【００８７】
実施形態は、ＩＰアドレスを転送するリクエストを受信できるおよび／または転送を受け入れることができるＧＷが、このＩＰアドレスをＧＷ自身のＩＰアドレスとして広告することを停止できる（言い換えれば、ＷＴＲＵのプロキシとして機能することを停止できることを企図する。一部の実施形態において、ＷＴＲＵが接続され得るおよび／またはＩＰアドレスの転送をリクエストすることができたＧＷは、ＷＴＲＵのプロキシとして機能することを開始できるおよび／またはこのＩＰアドレスをＧＷ自身のＩＰアドレスとして広告することを開始できる。このようなＩＰ転送技術の例を図７に示す。
【００８８】
図７について、７００２において、ＷＴＲＵは、ＤＧＷ１に接続できる。ＷＴＲＵは、ＩＰアドレスであるＩＰ１を取得できる。７００４において、例えば、７００６において、理由の中でもとりわけ、ＩＰ１に設定された宛先ＩＰアドレスを有する１または複数、または全てのＩＰトラフィックがＤＧＷ１に向けられるように、ＤＧＷ１は、ＤＧＷ１がＩＰ１行きのＩＰパケットを処理していると広告できる。７００８において、ＤＧＷ１は、ＩＰパケットをＷＴＲＵにフォワードできる。
【００８９】
７０１１において、ＷＴＲＵは、例えば、７０１０において、ＤＧＷ２がＤＧＷ１よりも近くにいる場合があるので、ＤＧＷ２へのＨＯを行うことができる。７０１２において、ＤＧＷ２は、恐らくＤＭＭ能力を有する(capable)ため、ＷＴＲＵが以前にＤＧＷ１に接続されたことおよび／またはＩＰ１がＷＴＲＵに割り振ることができたことを知る方法を有することができる。７０１４において、ＤＧＷ２は、ＤＧＷ１からのＩＰ１転送をリクエストできる。例えば、これは、強化された（例えば、変更された）ＰＢＵの送信を通じて行われ得る。７０１６において、ＤＧＷ１は、ＩＰ１をＤＧＷ２に転送することを受け入れる。一部の実施形態において、ＤＧＷ１は、ＩＰ１をＤＧＷ１自身のＩＰアドレスとして広告することを停止できる。７０１８において、強化された（例えば、変更された）ＰＢＡを送信して、転送を受け入れるおよび／または２つのＤＧＷ間のトンネルを生成することができる。７０２０において、ＤＧＷ２は、ＩＰ１をＷＴＲＵに割り当てることができる。
【００９０】
一部の実施形態において、ＩＰ１にフラグ（例えば、ＩＰ１に非推奨としてのフラグを立てる）が立たない可能性がある。ＤＧＷのうちの１つまたは両方は、アップデートを行うことができ、一部の実施形態において、恐らく現在のＷＴＲＵ接続および／または割り当てられたＩＰアドレスを追跡するために使用され得るＤＭＭ技術に応じて異なる。一部の実施形態において、理由の中でもとりわけ、恐らくＩＰアドレスの転送の理由により（例えば、ホームサブスクライバサーバ（ＨＳＳ）をデータベースとして使用できるのであれば）、データベースが転送されたＩＰアドレスの新しい（例えば、異なる）所有者にアップデートされることは有益である。シナリオの中でもとりわけ、例えば、近傍の事前登録を使用できるシナリオにおいて、事前登録がアップデートされることは有益である。
【００９１】
１または複数の実施形態において、７０２２において、１または複数のＩＰパケットは、ＩＰアドレスの転送中に既にＤＧＷ１への輸送途中である場合がある。７０２４において、理由の中でもとりわけ、例えば、そのような既に輸送途中のＩＰパケットに対し、２つのＤＧＷ間のトンネルを生成できるおよび／または、一時的であっても有益である。ＤＧＷ１に届くＩＰパケットは、ＤＧＷ２までトンネルされ、７０２６において、ＩＰパケットをＷＴＲＵにフォワードできる。
【００９２】
ＤＧＷ１とＤＧＷ２との間のトンネルは、輸送途中であるパケット、例えば、ＤＧＷ１に設定されるネクストホップが送信されたパケットに使用され得る。ひとたびネットワークのルーティングテーブルが（例えば、ＤＧＷ２は、ＩＰ１を処理するノードであるという）新しいネクストホップ情報にアップデートされると、“ＩＰ１”宛先ＩＰアドレスを使用することになるＩＰパケットは、直接ＤＧＷ２にルートされ得る。このようなシナリオにおいて、ＩＰ１を処理するためのＤＧＷ１とＤＧＷ２との間のトンネルは、もはや有益でない可能性がある。例えば、一部の実施形態において、ひとたびＤＧＷ２が、ＩＰ１アドレスをＤＧＷ２自身のＩＰアドレスとして広告を開始するおよび／またはひとたびＤＧＷ２が、ＩＰ１を使用してＩＰパケットの受信を開始すると、タイマーがＤＧＷ２によって開始され得る。トンネルは、理由の中でもとりわけ、例えば、タイマーが期限切れになる時に閉じられる。
【００９３】
７０２８において、ＤＧＷ２は、ＤＧＷ２がＩＰ１に向けられたおよび／またはＩＰ１を宛先とするＩＰパケットを処理するという広告を開始できる。７０３０において、ＤＧＷ１は、ＩＰ１の広告を停止できる。例えば、ＤＧＷ１は、異なるＩＰアドレス（例えば、ＩＰｎ）を広告できる。７０３２において、ＩＰ１を宛先とするＩＰパケットをＤＧＷ２にルートすることができ、７０３４において、ＩＰパケットをＷＴＲＵにフォワードできる。ＩＰ１を使用してトンネルパケットに構成することができた、ＤＧＷ１とＤＧＷ２との間のトンネルは、終了される（図示せず）。例示的なＩＰアドレスの転送を示すためにＰＭＩＰｖ６が使用されているが、ネットワークベースのソリューション（例えば、ＧＴＰ）および／またはクライアントベースのソリューション（例えば、ＭＩＰｖ６）による任意のモビリティプロトコルを使用して、他の企図された実施形態において図７と同じまたは同様の結果を得ることができる。
【００９４】
実施形態は、ＩＰアドレスのプロトコルを共有できるＧＷの１または複数のグループを企図する。１または複数の実施形態は、通信事業者が、恐らく、例えば、企図された１または複数の転送機構を使用して、ＩＰアドレスを共有することを可能にできるＧＷをグループ化できることを企図する。そのようなシナリオのうちの少なくとも１つにおいて、ＧＷは、ＩＰ転送リクエストによって指定され得るグループ番号で構成され得る。ＩＰアドレスは、転送されない可能性があり、および／または、本明細書で説明されるような、シナリオの中でもとりわけ、例えば、２つのＧＷが同じグループに入っていない可能性があれば、セッションの継続性を保持するために２つのＧＷ間のトンネルを使用できる。ＧＷは、例の中でもとりわけ、恐らくＧＷが互いに近い（例えば、比較的近い）理由によりおよび／またはＧＷが（例えば、特定のユーザグループに供給するように）関連付けられる理由により、一緒にグループ化され得る。
【００９５】
実施形態は、ＩＰアドレスの１または複数のプロトコルをＧＷ上で管理することを企図する。１または複数の実施形態は、ＧＷ間のＩＰアドレス転送の導入によって、ＩＰアドレスのうちの１または複数、または全てが他のＧＷに転送された可能性があるので空になり得るＩＰアドレスの１または複数のプロトコルをＧＷにおいて生成できることを企図する。実施形態は、そのような状況を回避する１または複数の技術を企図する。一部の実施形態において、ＧＷのうちの１つをマスターＩＰアドレスアロケータに選ぶことができる。１または複数、または各々のＧＷは、ＧＷに割り当てられる幾つかＩＰアドレスをリクエストできる。例えば、理由の中でもとりわけ、例えば、ＧＷのＩＰプールが不足する恐れがある場合、ＧＷは、より多くのＩＰアドレスをマスターＧＷにリクエストできる。代替的または付加的には、多数のＩＰアドレスを自身のプールに有することができるＧＷは、（例えば、使用できない）一部のＩＰアドレスをマスターＧＷに戻すことによって、例えば、別のＧＷが使用できるようにする。１または複数の実施形態において、集中型サーバをマスターＧＷの代わりに（またはそれに加えて）使用して、ＩＰアドレスプールを管理することもできる。
【００９６】
１または複数の実施形態は、１または複数のＷＴＲＵが、特に過密なネットワークにおいて多数のＨＯを行うことができることを企図する。そのようなシナリオにおいて、とりわけ、ＩＰアドレスを、ＧＷ間に適切に分散されたままの状態にできる。
【００９７】
特定の組み合わせにおいて特徴および要素を上述しているが、各特徴または要素は、単独で、または他の特徴および要素との任意の組み合わせにおいて使用できることが当業者には認識されよう。さらに、本明細書で説明される方法は、コンピュータまたはプロセッサによって実行するためのコンピュータ可読媒体に組み込まれるコンピュータプログラム、ソフトウェア、またはファームウェアに実装され得る。コンピュータ可読媒体の例は、（有線および／または無線接続を介して送信される）電子信号および／またはコンピュータ可読記憶媒体を含む。コンピュータ可読記憶媒体の例は、限定されるわけではないが、リードオンリーメモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、およびＣＤ−ＲＯＭディスク、およびデジタル多用途ディスク（ＤＶＤ）などの光媒体を含む。ソフトウェアと連動するプロセッサを使用して、ＷＴＲＵ、ＵＥ、端末機、基地局、ＲＮＣ、および／または任意のホストコンピュータで使用するための無線周波数トランシーバを実装することができる。
【図１Ａ】
2016502820.tif 000003
【図１Ｂ】
2016502820.tif 000004
【図１Ｃ】
2016502820.tif 000005
【図１Ｄ】
2016502820.tif 000006
【図１Ｅ】
2016502820.tif 000007
【図２Ａ】
2016502820.tif 000008
【図２Ｂ】
2016502820.tif 000009
【図３Ａ】
2016502820.tif 000010
【図３Ｂ】
2016502820.tif 000011
【図４】
2016502820.tif 000012
【図５】
2016502820.tif 000013
【図６】
2016502820.tif 000014
【図７】
2016502820.tif 000015
【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
無線通信ネットワークと通信する無線送信／受信ユニット（ＷＴＲＵ）であって、
プロセッサを備え、前記プロセッサは、少なくとも
前記無線通信ネットワークの第１のノードに接続し、
前記第１のノードから第１のインターネットプロトコル（ＩＰ）アドレスを取得し、
前記第１のノードに接続されて前記第１のＩＰアドレス経由で通信し、
前記無線通信ネットワークの第２のノードへのハンドオーバーを開始し、
前記第２のノードに接続し、
前記第２のノードから第２のＩＰアドレスを取得し、
条件が発生すると、前記第２のノードに接続されて前記第１のＩＰアドレス経由で通信し、前記条件は、前記第１のノードの１または複数の特性および前記第２のノードの１または複数の特性を含む
ように構成される、ＷＴＲＵ。
【請求項２】
前記プロセッサは、前記条件が、前記第１のノードと前記第２のノードとの間の地理的関係の判定、または前記第１のノードと前記第２のノードとの間の論理的関係の判定のうちの少なくとも１つを含むようにさらに構成される、請求項１に記載のＷＴＲＵ。
【請求項３】
前記プロセッサは、前記条件が前記第１のノードと前記第２のノードとの間の距離が所定の閾値内であるという判定を含むようにさらに構成される、請求項１に記載のＷＴＲＵ。
【請求項４】
前記プロセッサは、前記条件が前記第１のノードと前記第２のノードが同じ論理グループの一部であるという判定を含むようにさらに構成される、請求項１に記載のＷＴＲＵ。
【請求項５】
前記プロセッサは、前記条件が、動的関係の判定、または所定の関係のうちの少なくとも１つを含むようにさらに構成される、請求項１に記載のＷＴＲＵ。
【請求項６】
前記プロセッサは、前記条件が発生すると前記第２のＩＰアドレスを非推奨にすること、または前記条件が発生すると前記ＷＴＲＵに構成された１または複数のアプリケーションから前記第２のＩＰアドレスを論理的に隠蔽することのうちの少なくとも１つを行うようにさらに構成される、請求項１に記載のＷＴＲＵ。
【請求項７】
前記プロセッサは、前記第２のノードに接続されて前記第１のＩＰアドレス経由で通信することが、前記所定の閾値から外れた前記第２のノードに接続されて前記第１のＩＰアドレスを経由する通信と関連付けられたトンネルの数と比較して削減された数のトンネルを用いて行われるようにさらに構成される、請求項３に記載のＷＴＲＵ。
【請求項８】
前記プロセッサは、前記第２のノードに接続されて前記第１のＩＰアドレス経由で通信することが、前記論理的グループから外れた前記第２のノードに接続されて前記第１のＩＰアドレスを経由する通信と関連付けられたトンネルの数と比較して削減された数のトンネルを用いて行われるようにさらに構成される、請求項４に記載のＷＴＲＵ。
【請求項９】
無線通信ネットワークにおいて通信するための方法であって、
無線送信／受信ユニット（ＷＴＲＵ）が、前記無線通信ネットワークの第１のノードに接続するステップと、
前記ＷＴＲＵが、前記第１のノードから第１のインターネットプロトコル（ＩＰ）アドレスを取得するステップと、
前記ＷＴＲＵが、前記第１のノードに接続されて前記第１のＩＰアドレス経由で通信するステップと、
前記ＷＴＲＵが、前記無線通信ネットワークの第２のノードへのハンドオーバーを開始するステップと、
前記ＷＴＲＵが、前記第２のノードに接続するステップと、
前記ＷＴＲＵが、前記第２のノードから第２のＩＰアドレスを取得するステップと、
条件が発生すると、前記ＷＴＲＵが、前記第２のノードに接続されて前記第１のＩＰアドレス経由で通信するステップであって、前記条件は、前記第１のノードの１または複数の特性および前記第２のノードの１または複数の特性を含む、ステップと、
を含む、方法。
【請求項１０】
前記条件は、前記第１のノードと前記第２のノードとの間の距離が所定の閾値内であると判定することを含む、請求項９に記載の方法。
【請求項１１】
前記条件は、前記第１のノードと前記第２のノードが同じ論理グループの一部であると判定することを含む、請求項９に記載の方法。
【請求項１２】
前記条件は、動的関係を判定すること、または所定の関係を判定することのうちの少なくとも１つを含む、請求項９に記載の方法。
【請求項１３】
前記条件が発生すると前記第２のＩＰアドレスを非推奨にすること、または前記条件が発生すると前記ＷＴＲＵに構成された１または複数のアプリケーションから前記第２のＩＰアドレスを論理的に隠蔽することのうちの少なくとも１つがさらに構成される、請求項９に記載の方法。
【請求項１４】
第２のノードに接続されて前記第１のＩＰアドレス経由で通信するステップは、前記所定の閾値から外れた前記第２のノードに接続されて前記第１のＩＰアドレスを経由する通信と関連付けられたトンネルの数と比較して削減された数のトンネルを用いて行われる、請求項１０に記載の方法。
【請求項１５】
第２のノードに接続されて前記第１のＩＰアドレス経由で通信するステップは、前記論理的グループから外れた前記第２のノードに接続されて前記第１のＩＰアドレスを経由する通信と関連付けられたトンネルの数と比較して削減された数のトンネルを用いて行われるようにさらに構成される、請求項１１に記載の方法。
【国際調査報告】
2016502820.tif 000016
2016502820.tif 000017
2016502820.tif 000018
2016502820.tif 000019
2016502820.tif 000020